(57)【要約】【課題】本願発明は、このような問題に鑑み、簡単な構成で、蓋を紛失することがなく、開口高さへの影響がすくない端部カバーを提供することを課題とするものである。【解決手段】天板の後端に左右方向に設けられた開口部を閉塞するダクトカバーの一端部側に設けられる端部カバー体において、端部カバー体を前記天板の側方端部を支持する天板支持部に装着されるベース体と、該ベース体の上部に被せられる着脱可能なカバー体とで構成し、ベース体の前方側に設けられた配線挿通部の配線挿通部のデスクの側面側に、開閉蓋を設け、カバー体の前方側に形成された配線挿通口の内、デスクの側面側に面する前記配線挿通口を、前記開閉蓋によって開閉自在に閉塞し、開閉蓋を、前後方向にスライド移動可能に装着し、開閉蓋を後方にスライドすることによって配線挿通口を開放するとともに、カバー体を取り外した状態であってもスライド移動可能にベース体に装着する。【選択図】図８
2014230562.tif 000002
【特許請求の範囲】
【請求項１】
天板の後端に左右方向に設けられた開口部と、該開口部を閉塞し、かつ、左右方向を回転軸として回動開閉自在に取り付けられるダクトカバーと、ダクトカバーの左右端部付近のデスクの上部に設けられるオプション部材取付部と、を備えたデスクの、前記ダクトカバーの左右方向の端部のうち、少なくとも一端部側付近のデスクの上部に設けられる端部カバー体において、端部カバー体は、前記天板の側方端部を支持する天板支持部に装着されるベース体と、該ベース体に着脱可能に被せられるカバー体とで構成され、ベース体は、前記オプション部材取付部を有する本体と、本体の前方側に設けられた配線挿通部と、本体の後方側のダクトカバー側に設けられたダクトカバー回転部と、本体後端部に立設する後面壁に形成されるオプション部材挿通口と、該オプション部材挿通口を閉塞する着脱自在なキャップと、配線挿通部のデスクの側面側に設けられた開閉蓋とを備えるものであって、カバー体は、本体の上部の開口部を閉塞する閉塞部と、閉塞部の左右方向の端部のそれぞれから垂下する側面壁と、側面壁の前方側に形成された配線挿通口とを備え、該配線挿通口の内、デスクの側面側に面する前記配線挿通口が、前記開閉蓋によって開閉自在に閉塞されるものであって、開閉蓋は、前後方向にスライド移動可能に装着され、開閉蓋を後方にスライドさせることによって配線挿通口が開放されるとともに、カバー体を取り外した状態であってもスライド移動可能にベース体に装着されていることを特徴とする端部カバー体。
【発明の詳細な説明】
【技術分野】
【０００１】
本発明は、デスクの後端部下方の配線収納部に、デスクの側端面部から配線類を導くための挿通部を備えた端部カバー体に関するものである。
【背景技術】
【０００２】
従来、デスクの後端に沿って、デスク上で使用する電子機器等の配線類をデスク上からデスク天板下方に落としこむための開口部を設け、該開口部を開閉自在なダクトカバーで閉塞し、開口部から落とし込まれた配線類をデスクの側端面側から出し入れできる配線挿通口を有する端部カバーをダクトカバーの端部に配置し、デスク後方にパネルを立設させるための支柱を、端部カバー内を利用してデスクに取り付けるものがある。（例えば、特許文献１参照。）
また、ダクトカバーを回動開閉自在とし、ダクトカバーの回動軸を端部カバーに設けたものもある。（例えば、特許文献２参照。）
【０００３】
近年、天板の厚みは薄くなる傾向にあるが、このような端部カバーは、通常、意匠性、加工の容易性の点から天板の厚みと略同じ厚みで形成されることが多く、このような限られた厚みの中で本来の配線を挿通する機能に加え、様々な機能を付加した状態で配線挿通口を大きく取ることが要求されている。
【０００４】
しかしながら、特許文献１には、配線ダクト端部に設置された側部カバーに上下にスライド係合する蓋が設けられ、該蓋を取り外すことによって配線挿通口が形成される構成が記載されているが、この蓋では、配線挿通口に配線を挿通させていない状態では蓋によって配線挿通口が閉塞されているが、配線挿通口に配線を挿通させる時には、蓋を取り外して、配線ダクトカバー内などに別途保管しておくようになっているため、蓋を紛失する可能性がある。
【０００５】
また、特許文献３には、配線挿通口の蓋を揺動可能としたものが記載されているが、このようなもの場合、揺動した蓋が厚み方向に重なるようになるため、厚みが薄い天板と略同じ厚みで形成される端部カバーに採用した場合、揺動した蓋が邪魔になり開口高さが不足することが考えられる。
【先行技術文献】
【特許文献】
【０００６】
【特許文献１】特許第２９２３４９０号公報
【特許文献２】特許第４６７４３２０号公報
【特許文献３】特許第４２４４１８３号公報
【発明の概要】
【発明が解決しようとする課題】
【０００７】
本願発明は、このような問題に鑑み、簡単な構成で、配線挿通口の蓋を紛失することがなく、開口高さへの影響を最小限に抑えることができる端部カバー体を提供することを課題とするものである。
【課題を解決するための手段】
【０００８】
そこで、上記課題を解決する為、本発明が第１の手段として構成したところは、天板の後端に左右方向に設けられた開口部と、該開口部を閉塞し、かつ、左右方向を回転軸として回動開閉自在に取り付けられるダクトカバーと、ダクトカバーの左右端部付近のデスクの上部に設けられるオプション部材取付部と、を備えたデスクの、前記ダクトカバーの左右方向の端部のうち、少なくとも一端部側付近のデスクの上部に設けられる端部カバー体において、端部カバー体は、前記天板の側方端部を支持する天板支持部に装着されるベース体と、該ベース体に着脱可能に被せられるカバー体とで構成され、ベース体は、前記オプション部材取付部を有する本体と、本体の前方側に設けられた配線挿通部と、本体の後方側のダクトカバー側に設けられたダクトカバー回転部と、本体後端部に立設する後面壁に形成されるオプション部材挿通口と、該オプション部材挿通口を閉塞する着脱自在なキャップと、配線挿通部のデスクの側面側に設けられた開閉蓋とを備えるものであって、カバー体は、本体の上部の開口部を閉塞する閉塞部と、閉塞部の左右方向の端部のそれぞれから垂下する側面壁と、側面壁の前方側に形成された配線挿通口とを備え、該配線挿通口の内、デスクの側面側に面する前記配線挿通口が、前記開閉蓋によって開閉自在に閉塞されるものであって、開閉蓋は、前後方向にスライド移動可能に装着され、開閉蓋を後方にスライドさせることによって配線挿通口が開放されるとともに、カバー体を取り外した状態であってもスライド移動可能にベース体に装着されているものである。
【発明の効果】
【０００９】
第１の手段として構成したところによると、開閉蓋はベース体に装着された状態で前後にスライド移動するので、配線挿通口の開放時において、配線挿通口の厚み方向への影響が少なくでき、また、カバー体に開閉蓋の支持部を特段設ける必要がないのでカバー体の形状に自由度があり、カバー体の配線挿通口部の厚みを薄くして、配線挿通口高さを高くすることができる。さらに、開閉蓋を取り外すことなく配線挿通口を開放することができるので開閉蓋を紛失することがない。
【図面の簡単な説明】
【００１０】
【図１】本発明のデスクの正面図。
【図２】本発明のデスクの平面図。
【図３】本発明のデスクの右側面図。
【図４】図１のＡ―Ａ線断面図。
【図５】図３の要部拡大図。
【図６】図４の要部拡大図。
【図７】端部カバー体の平面図。
【図８】端部カバー体の右側面図。
【図９】端部カバー体の背面図。
【図１０】端部カバー体の開閉蓋がスライド移動した状態を示す側面図。
【図１１】図８のＡ−Ａ線断面図
【図１２】本体の平面図。
【図１３】本体の右側面図。
【図１４】本体の左側面図。
【図１５】本体の正面図。
【図１６】本体の背面図。
【図１７】キャップの右側面図。
【図１８】キャップの底面図。
【図１９】開閉蓋の右側面図。
【図２０】開閉蓋の正面図。
【図２１】開閉蓋の平面図。
【図２２】開閉蓋の左側面図。
【図２３】本体に開閉蓋が取り付けられた状態の正面図。
【図２４】本体にキャップが取り付ける途中段階の状態の背面図。
【図２５】カバー体の平面図。
【図２６】カバー体の右側面図。
【図２７】カバー体の左側面図。
【図２８】カバー体の背面図。
【図２９】カバー体の正面図。
【図３０】オプション部材の平面図。
【図３１】オプション部材の右側面図。
【図３２】端部カバー体の使用状態を示す要部拡大断面図。
【図３３】カバー体を取り外した状態の要部拡大平面図。
【図３４】カバー体を取り外し、オプション部材を取り付けた状態の要部拡大右側面図。
【発明を実施するための形態】
【００１１】
本発明は、天板の後端に左右方向に設けられた上向きに開口する配線収納ダクトを閉塞するダクトカバーの両端部のうち、少なくとも一端部側付近のデスク上部に設けられる端部カバー体において、端部カバー体を前記天板の側方端部を支持する天板支持部に装着されるベース体と、該ベース体の上部に被せられる着脱可能なカバー体とで構成し、ベース体の前方側に設けられた配線挿通部の配線挿通部のデスクの側面側に、開閉蓋を設け、カバー体の前方側に形成された配線挿通口の内、デスクの側面側に面する前記配線挿通口を、前記開閉蓋によって開閉自在に閉塞し、開閉蓋を、前後方向にスライド移動可能に装着し、開閉蓋を後方にスライドすることによって配線挿通口を開放するとともに、カバー体を取り外した状態であってもスライド移動可能にベース体に装着するものである。
【実施例１】
【００１２】
実施例を、添付図面に基づいて詳述する。
図１において、符号１００はデスクを示し、デスク１００は左右に所定間隔を有して配設された脚体１１、１１と、脚体１１、１１の上面に連結された天板２と、脚体１１、１１の後端部間に配設された幕板３と、天板２の後端から突出した状態の脚体１１、１１の上面に装着された端部カバー体４、４と、端部カバー体４、４間に配設されたダクトカバー８と、ダクトカバー８下方に位置し、天板２の下面で連結された配線収納ダクト９等より構成されている。
ダクトカバー８の後方の端部カバー体４、４間に目地材１３が取り付けられ、デスク１００の後端部の隙間が閉塞されている。
【００１３】
脚体１１は、側面視において前方が開口となる略コの字状と成し、上部側の前後に延伸する支持杆が、天板支持部１１１とされ、天板支持部１１１の上面に、平面視において矩形状を成した天板２の端部付近が載置され、ネジ等にて天板２が連結される。
この時、天板２は、天板支持部１１１、１１１の後端部側が突出する位置に連結され、天板支持部１１１、１１１の突出部の上面１１２、１１２に端部カバー体４、４が配設される。
【００１４】
配線収納ダクト９は、天板２の後端面２１と端部カバー体４、４間と幕板３との間で形成された配線類を上下方向に挿通させるための上下挿通開口部５の下方部に設けられるものであって、上方が開口した側面視コの字状を成しており、幕板３の上面に係合して取り付けられている。
尚、配線収納ダクト９は、配線等を受けるためのものであるが、デスクの使用状況によっては設けられない場合もある。また、幕板に取り付ける方法ではなく天板下面に取り付ける方法でもよく、取り付け方法や配線収納ダクト９の形状はデスクの形態に合わせて適宜設定すればよい。
【００１５】
ダクトカバー８は、前記上下挿通開口部５を閉塞するものであって、左右方向に伸びる略板状を成し、両端部に回転軸受けが設けられ、回転軸受けを端部カバー体４、４に設けられた回転軸６１３、６１３に装着させることによって、該回転軸６１３、６１３を回転軸として回動自在に装着される。
当然のごとく、ダクトカバー８に回転軸を設けて、端部カバー体４、４側に回転軸受けを設けてもよい。
【００１６】
目地材１３は、ダクトカバー８後方の開口部を閉塞するものであって、中空の角パイプで形成され、左右両端が、後述するベース体６目地部材支持部６１５ａに差し込まれ、端部カバー体４、４間に取り付けられる。
【００１７】
図７〜図２９は、実施例における端部カバー体４、あるいは、その構成部材であって、デスクの右端側に使用されるものを示している。
尚、図４、６に記載されている端部カバー体４、あるいは、その構成部材は、デスクの左端側に使用されるものを示している。
【００１８】
端部カバー体４は、天板支持部１１１、１１１の突出部の上面１１２、１１２にネジ止め装着されるベース体６と、該ベース体６の上部に被せられる着脱可能なカバー体７とで構成される。
【００１９】
ベース体６は、合成樹脂で一体的に製造される本体６１と、本体６１のオプション部材挿通口６１６を閉塞する着脱自在なキャップ６２と、配線挿通部６１２のデスク１００の側面側のスライド係合部６１７に装着される開閉蓋６３とからなる。
【００２０】
本体６１は、ベース部６１１と、ベース部６１１の前方側に設けられた配線挿通部６１２と、配線挿通部６１２の前方部に立設する係合壁６１２ａと、ベース部６１１の後方側のダクトカバー８側に設けられたダクトカバー８の回転部のダクトカバー回転軸６１３、ダクトカバー８の載置突片６１４と、ベース部６１１後端部に立設する後面壁６１５と、後面壁６１５に形成されるオプション部材挿通口６１６と、後面壁６１５のダクトカバー８側面に、ダクトカバー８方向に向かって突設する、目地部材支持部６１５ａとを備えている。
【００２１】
ベース部６１１は、天板支持部１１１、１１１の突出部の上面１１２、１１２と平面視で略同形とされる平板状であって、上面１１２、１１２にネジ止めするための貫通孔６１１ａ、６１１ａが設けられている。
【００２２】
係合壁６１２ａは、ベース部６１１の前端部に立設し、カバー体７を係合装着させるための係合孔６１２ｂが設けられている。
【００２３】
後面壁６１５は、前後方向に厚みのある形態とされ、背面視において略Uの字状を成すようにオプション部材挿通口６１６が設けられ、後面壁６１５のダクトカバー８側面に、ダクトカバー８方向に向かって、目地部材支持部６１５ａが突設している。
【００２４】
キャップ６２は、前記後面壁６１５のオプション部材挿通口６１６の背面と上面を閉塞するものであって、側面視上下逆Ｌ字形をなし、垂直面６２１の左右端面６２２、６２２には、係合溝６２３、６２３が設けられている。
このように形成されたキャップ６２が、オプション部材挿通口６１６の内面に設けられた係合片６１６ａ、６１６ａに、係合溝６２３、６２３が係合するように、上方からスライド装着される。
【００２５】
ダクトカバー回転軸６１３は、後面壁６１５から前方に向かってダクトカバー８側に連設される内壁６１８に、ダクトカバー８側に向かって突設している。
尚、ダクトカバー８側に回転軸がある場合は、ダクトカバー回転軸６１３は回転軸受けとされる。
載置突片６１４は、閉止したダクトカバー８の下面を載置させるものであって、内壁６１８のダクトカバー回転軸６１８の前方に、ダクトカバー８側に向かって突設している。
【００２６】
内壁６１８の後端部には、後述するカバー体の背面板７５の一部が挿入される、上下方向に連通した内側挟持溝６１８ａが内壁６１８の後端面と後面壁６１５との間で形成されている。
【００２７】
スライド係合部６１７は、後面壁６１５から前方に向かってデスク１００の側面側に連設される外壁６１９と、外壁６１９の前方上部に、デスク１００の側面側に向かって突設するスライド係合片６１７ａと、ベース部６１１のデスク１００の側面端面と、前記外壁６１９間のベース部６１１に前後方向に向かって設けられるスライド係合溝６１７ｂとで構成される。
【００２８】
スライド係合片６１７ａは、前記突設方向の先端が下方に向かって折れ曲がり、正面視において横向きＬ字状を成し、下方が開口した下向き係合溝６１７ｃを形成している。
スライド係合溝６１７ｂは、ベース部６１１のほぼ前方から後面壁６１５の前方までに設けられ、上面が開放する上向きコの字状の細溝状に形成される。
【００２９】
外壁６１９の後端部には、後述するカバー体の背面板７５の一部が挿入される、上下方向に連通した外側挟持溝６１９ａが外壁６１９の後端面と後面壁６１５の前面との間で形成されている。
【００３０】
配線挿通部６１２は、ベース部６１１の前方部の係合壁６１２ａと内壁６１８の間、係合壁６１２ａと外壁６１９の間に形成され、ベース部６１１上面に突起物が形成されない略平らな状態とされる左右方向に貫通した空間である。
【００３１】
そして、配線挿通部６１２を形成するベース部６１１のダクトカバー８側の上面に、ベース部６１１の厚みの範囲内で、ダクトカバー８側に向かって下がるように傾斜した傾斜面６１２ｃが形成されている。
これは、ダクトカバー８が閉じた状態では、ダクトカバー８が配線挿通部６１２のダクトカバー８側の開口高さを減少させてしまうため、このように傾斜面６１２ｃを設けることによって開口高さを広げることができる。
さらに傾斜面６１２ｃをベース部６１１の厚みの範囲内とすることによって、ベース部６１１の下面には突起物が形成されなくなるので、天板支持部１１１、１１１の突出部のダクトカバー８側に傾斜面６１２ｃとの干渉を避ける切り欠きなどを設ける必要がないため、脚体１１を左右兼用とすることができる。
【００３２】
開閉蓋６３は、側面視において、配線挿通部６１２の前後長より若干大きめの長さの横長矩形を成す平板状の閉塞面６３１と、閉塞面６３１の平板状の一面が閉塞外面６３１ａ、他面を閉塞内面６３１ｂとされ該閉塞外面６３１ａに複数設けられた縦長細溝のスベリ止め溝６３２と、閉塞外面６３１ａの先端に突設する操作片６３３と、閉塞内面６３１ｂに突設するスライド係合溝片６３４と、閉塞面６３１の下端に、下方に向かって突設するスライド片６３４とを備えたものである。
【００３３】
スライド係合溝片６３４は、閉塞内面６３１ｂの前後方向と等しい長さに形成され、閉塞内面６３１ｂから水平方向に突設し、突設方向の先端が上方に向かって折れ曲がり、正面視においてＬ字状を成すことによって上向き係合溝６３５を形成したものである。
【００３４】
スライド片６３４は、閉塞面６３１の前後方向と等しい長さに形成され、前記ベース部６１１に設けられるスライド係合溝６１７ｂに挿入できる厚さに設定される。
【００３５】
このように形成された開閉蓋６３が、ベース体６のスライド係合部６１７の前方から、下向き係合溝６１７ｃと上向き係合溝６３５が係合し、かつ、スライド片６３４がスライド係合溝６１７ｂに挿入するようにはめ込まれ、開閉蓋６３が前後スライド移動可能に装着される。
尚、はめ込みに際しては、ベース体６、開閉蓋６３がそれぞれ合成樹脂製で可撓性があるため、適宜、各部が可撓しながらはめ込まれることとなる。
したがって、開閉蓋６３は、ベース体６に装着された状態が維持でき、容易にベース体６から脱落することがない。
【００３６】
カバー体７は、ベース体６の後面壁６１５から前方の上面の開口部を閉塞する、閉塞板７１と、閉塞板７１の前端部から下方に向かって突設する取付片７２と、閉塞板７のデスクの側面側端部から垂下する側面板７３と、閉塞板７のダクトカバー８側端部から垂下する内面板７４と、閉塞板７の後面壁６１５側の端部から垂下する背面板７５とで構成されている。
【００３７】
取付片７２は、ベース部６１１の係合壁６１２ａの係合孔６１２ｂに係合する係合片７２ａを備える。
【００３８】
側面板７３は、配線挿通部６１２に位置する前方部が開口し側面配線挿通口７３ａが形成され、側面視で横向きＬ字状を成している。
【００３９】
内面板７４も側面板７３と同様に、配線挿通部６１２に位置する前方部が開口し内面配線挿通口７４ａが形成され、側面視で横向きＬ字状を成している。
さらに、内面配線挿通口７４ａの後方側の面には、ベース体６のダクトカバー回転軸６１３、載置突片６１４との干渉を避ける回転軸用切り欠き７４ｂ、載置突片切り欠き７４ｃが設けられている。
【００４０】
背面板７５は、ベース部６１１のオプション部材挿通口６１６の略同じ幅の背面オプション挿通口７５ａが形成され、背面視で下向きコの字状を成している。
【００４１】
このように形成されたカバー体７が、ベース体６の上部から被せられることによって端部カバー体４となる。
この時、取付片７２の係合片７２ａがベース部６１１の係合壁６１２ａの係合孔６１２ｂに係合するとともに、カバー体の背面板７５の一部が、ベース体６内側挟持溝６１８ａと外側挟持溝６１９ａに挿入されることによってカバー体７が容易に外れないようになされている。
また、カバー体７の閉塞部７１の裏面には、開閉蓋６３の上端面の付近を挟持する案内溝部７１ａが設けられている。この案内溝部７１ａは、開閉蓋６７がよりスムーズにスライドするように、開閉蓋６７を前後方向に真っ直ぐ案内するものである。
【００４２】
端部カバー体４の厚みは、天板２の厚みと略同じ厚みとされる。また、カバー体７の閉塞部７１上面は、天板２の表面と略面一となり、カバー体７の側面板７３の表面は、天板２の側面と略面一となるように設定されている。
【００４３】
このように構成された端部カバー体４、４は、ベース部６１１の貫通孔６１１ａ、６１１ａを介して上面１１２、１１２にネジにて取り付けられる。
【００４４】
そして、配線類をデスクの左右方向に挿通させる場合には、開閉蓋６３の操作片６３３を使って開閉蓋６３を後方にスライド移動させて配線挿通部６１２を開放状態とし、内面配線挿通口７４ａ、あるいは、側面配線挿通口７３ａから配線等を差し込み、配線挿通部６１２を挿通させる。
開閉蓋６３が前後スライド式のため、開閉蓋６３の開放によって側面配線挿通口７３ａの高さが低くなることもなく、カバー体７を特段取り外さなくとも配線類の挿通作業が行え、しかも、開閉蓋６３を取り外す必要がないので開閉蓋６３を紛失することもない。
また、開閉蓋６３は、スライド開放時に後方側に移動するが、後方側はオプション部材１０やダクトカバー回転軸６１３を備えるので、配線を挿通させることができない、いわゆるデッドスペースである。
したがって、開閉蓋６３は開放時にデッドスペースに移動するだけであるので、配線挿通口の開口幅は必要十分の大きさにでき、配線挿通口の開口高さは、開閉蓋が邪魔をしないので大きく取ることができる。
【００４５】
オプション部材１０は、デスク上の後端にデスクトップパネル１２などを取り付けるための支持部材であって、前後方向に延伸する支持脚部１０１と支持脚部１０１の後端から上方に向かって延伸する支持杆部１０２が合金を使って一体的に形成され、側面視においてＬ字状の形態を成しているものである。
そして、支持脚部１０１に、ベース部６１１の貫通孔６１１ａ、６１１ａに対応した上下方向に貫通する貫通孔１０１ａ、１０１ａが設けられ、支持杆部１０２にはデスクトップパネル１２を取り付ける貫通孔１０２ａが設けられる。
【００４６】
このようなオプション部材１０をデスク１００に取り付けるには、まず、端部カバー体４のキャップ６２とカバー体７を取り外し、端部カバー体４を取り付けているネジ１４、１４を取り外す。
そして、オプション部材１０の支持脚部１０１を、ベース部６１１の貫通孔６１１ａ、６１１ａとオプション部材１０の貫通孔１０１ａ、１０１ａが一致するようにベース部６１上に載置し、ネジ１４、１４を使って、支持脚部１０１の下面と脚体１１の上面１１２とでベース部６１１が挟持されるように脚体１１の上面１１２にネジ止めする。
この時、支持脚部１０１は、背面オプション挿通口７５ａ、オプション部材挿通口６１６に挿入され、ベース部６１１の後面壁６１５の後端より突出した状態とされる。
当然ながら、支持脚部１０１の前端部は、配線挿通部６２に突出しない長さに設定されている。
そして、支持杆部１０２は、後面壁６４のオプション部材挿通口６５の上面から上方に向かって突出した状態とされている。
尚、本件実施例のデスクを背面合わせて前後に並べて配置した場合、オプション部材１０の支持脚部１０１の後面壁６１５の後端より突出した部分は、他方のデスクのオプション部材挿通口６１６に挿入されることになるので、前後に配置されたデスクの位置が左右方向にずれることがなく、デスク配置の際の位置決めとして利用できる。
【００４７】
オプション部材１０は、デスク１００の両端に設けられ、デスクトップパネル１２の両端の下面とオプション部材１０の支持杆部１０２とがネジ止め連結される。
【産業上の利用可能性】
【００４８】
以上のように、本発明は、デスクやカウンターなどの什器の配線挿通口として広く利用することができる。
【符号の説明】
【００４９】
１００            デスク
２                天板
３                幕板
４                端部カバー体
５                上下挿通開口部
６                ベース体
６１              本体
６１１            ベース部
６１２            配線挿通部
６１３            ダクトカバー回転軸
６１６            オプション部材挿通口
６１７            スライド係合部
６２              キャップ
６３              開閉蓋
７                カバー体
７１              閉塞部
７３              側面板
７３ａ            側面配線挿通口
７４              内面板
７４ａ            内面配線挿通口
８                ダクトカバー
１０              オプション部材
１１              脚体
１１１            天板支持部
【図１】
2014230562.tif 000003
【図２】
2014230562.tif 000004
【図３】
2014230562.tif 000005
【図４】
2014230562.tif 000006
【図５】
2014230562.tif 000007
【図６】
2014230562.tif 000008
【図７】
2014230562.tif 000009
【図８】
2014230562.tif 000010
【図９】
2014230562.tif 000011
【図１０】
2014230562.tif 000012
【図１１】
2014230562.tif 000013
【図１２】
2014230562.tif 000014
【図１３】
2014230562.tif 000015
【図１４】
2014230562.tif 000016
【図１５】
2014230562.tif 000017
【図１６】
2014230562.tif 000018
【図１７】
2014230562.tif 000019
【図１８】
2014230562.tif 000020
【図１９】
2014230562.tif 000021
【図２０】
2014230562.tif 000022
【図２１】
2014230562.tif 000023
【図２２】
2014230562.tif 000024
【図２３】
2014230562.tif 000025
【図２４】
2014230562.tif 000026
【図２５】
2014230562.tif 000027
【図２６】
2014230562.tif 000028
【図２７】
2014230562.tif 000029
【図２８】
2014230562.tif 000030
【図２９】
2014230562.tif 000031
【図３０】
2014230562.tif 000032
【図３１】
2014230562.tif 000033
【図３２】
2014230562.tif 000034
【図３３】
2014230562.tif 000035
【図３４】
2014230562.tif 000036